(57)【要約】【課題】コンパクトに折り畳める組立式の鼻隠し取付部材を提供する。【解決手段】パネル取付部材２の両端には、鼻隠しパネル１の上下に形成された折曲辺部６を止着するための折曲片７，７が形成され、かつ、締結部材５を遊嵌させるための長孔８が形成される一方、屋根取付部材４の連結端には、締結部材５を挿通させるための軸孔９が形成され、かつ、折り畳み時に折曲片７と対応する屋根取付部材４の一側縁には、折曲片７に被嵌するノッチ部１０を形成している。【選択図】  図１
2006336215.tif 000002
【特許請求の範囲】
【請求項１】
鼻隠しパネル（１）を取り付けるためのパネル取付部材（２）と、
屋根板（３）に取り付けられる屋根取付部材（４）と、を締結部材（５）により折り畳み自在に連結してなる鼻隠し取付部材であって、
前記パネル取付部材（２）の両端には、前記鼻隠しパネル（１）の上下に形成された折曲辺部（６）を止着するための折曲片（７）（７）が形成され、かつ、前記締結部材（５）を遊嵌させるための長孔（８）が形成される一方、前記屋根取付部材（４）の連結端には、前記締結部材（５）を挿通させるための軸孔（９）が形成され、かつ、折り畳み時に前記折曲片（７）と対応する前記屋根取付部材（４）の一側縁には、前記折曲片（７）に被嵌するノッチ部（１０）を形成したことを特徴とする鼻隠し取付部材。
【請求項２】
折り畳み時に、前記屋根取付部材（４）の一側縁に形成されたノッチ部（１０）を嵌入させるための凹み部（１２）を、前記パネル取付部材（２）の一端に形成したことを特徴とする請求項１に記載の鼻隠し取付部材。
【発明の詳細な説明】
【技術分野】
【０００１】
本発明は、屋根の軒先に配設される鼻隠しパネルを屋根板に取り付けるための鼻隠し取付部材に関する。
【背景技術】
【０００２】
鼻隠しパネルを屋根に取り付けるための鼻隠し取付部材は、従来、鼻隠しパネルを取り付けるためのパネル取付部材と屋根板に取り付けられる屋根取付部材を、それぞれアングル材で形成し、施工に際しては、これらをボルト締結等によってＴ字状に組み合わせて使用していた。その両部材の組み付けは現場で行われるか、又は、現場に搬入する前に、予め、両部材を仮組するようにしていた。
【０００３】
しかし、現場で組付ける場合には、 ボルト締結による組付作業が面倒であり、また、分離した各部材の調達も煩瑣であるため、多くの場合、後者のように、各部材を仮組した状態で現場に搬入するようにしていた。そこで、締結ボルトを遊嵌させる長孔をパネル取付部材に形成し、その長孔の端部に、締結ボルトを嵌め込んで屋根取付部材を自在に回動させるための凹部を設け、パネル取付部材と屋根取付部材を嵩張らずにコンパクトに折り畳んで現場に搬入できるようにした鼻隠しパネル取付金具が提案されている（例えば、特許文献１参照）。
【０００４】
また、パネル取付部材の端縁に、屋根取付部材の一片の肉厚よりもやや大きいスリット開口を形成して、該スリット開口に屋根取付部材を嵌め込んで、パネル取付部材と屋根取付部材を並行に重ね合わせて、より一層コンパクトに折り畳めるようにした屋根化粧パネル取付金具も提案されている（例えば、特許文献２，３参照）。
【０００５】
【特許文献１】登録実用新案第３０２８０６４号公報
【特許文献２】特許第３５７６１５７号公報
【特許文献３】特許第３６２４９０７号公報
【発明の開示】
【発明が解決しようとする課題】
【０００６】
上記特許文献２，３に記載の屋根化粧パネル取付金具では、折り畳み時のコンパクト化は達成されているといえよう。しかし、このような組立式の取付金具では、折り畳み状態のコンパクト化は共通の課題であり、上記従来例とは異なる構成が提案されてもよいはずである。
【０００７】
本発明は、このような実情に鑑みてなされ、コンパクトに折り畳める組立式の鼻隠し取付部材を提供することを目的とする。
【課題を解決するための手段】
【０００８】
（１）本発明の鼻隠し取付部材は、鼻隠しパネル１を取り付けるためのパネル取付部材２と、屋根板３に取り付けられる屋根取付部材４と、を締結部材５により折り畳み自在に連結してなる鼻隠し取付部材であって、
前記パネル取付部材２の両端には、前記鼻隠しパネル１の上下に形成された折曲辺部６を止着するための折曲片７，７が形成され、かつ、前記締結部材５を遊嵌させるための長孔８が形成される一方、前記屋根取付部材４の連結端には、前記締結部材５を挿通させるための軸孔９が形成され、かつ、折り畳み時に前記折曲片７と対応する前記屋根取付部材４の一側縁には、前記折曲片７に被嵌するノッチ部１０を形成したことを特徴とする。
【０００９】
このような構成によれば、折り畳み時に、屋根取付部材４の一側縁に形成されたノッチ部１０が、パネル取付部材２の折曲片７に被嵌するため、屋根取付部材４とパネル取付部材２とを並行に重ね合わせてコンパクトに折り畳むことができる。
【００１０】
（２）折り畳み時に、前記屋根取付部材４の一側縁に形成されたノッチ部１０を嵌入させるための凹み部１２を、前記パネル取付部材２の一端に形成してもよい。このようにすれば、ノッチ部１０を凹み部１２に嵌入させることによって、屋根取付部材４とパネル取付部材２とを並行に重ね合わせてコンパクトに折り畳むことができる。この場合、凹み部１２の深さだけノッチ部１０を浅く形成することができる。
【発明の効果】
【００１１】
本発明に係る鼻隠し取付部材は、折り畳み時に、屋根取付部材の一側縁に形成されたノッチ部が、パネル取付部材の折曲片に被嵌するので、屋根取付部材とパネル取付部材とを並行に重ね合わせてコンパクトに折り畳むことができる。
【発明を実施するための最良の形態】
【００１２】
以下に、本発明の最良の実施の形態に係る鼻隠し取付部材について図面を参照しつつ詳細に説明する。
〔実施の形態１〕
図１（ａ）〜（ｄ）は鼻隠し取付部材を示し、図２は屋根に鼻隠しパネルを取り付けた施工状態を示す。これらの図にて、符号１は鼻隠しパネル、２は鼻隠しパネル１を取り付けるための、例えば金属のアングル材からなるパネル取付部材、３は折板屋根等の屋根板、４は屋根板３にボルト・ナット等の締結部材３ａによって取り付けられる、例えば金属のアングル材からなる屋根取付部材、５はパネル取付部材２と屋根取付部材４を折り畳み自在に連結するための締結ボルト及びナット等からなる締結部材であり、この締結部材５によって折り畳み自在に連結されたパネル取付部材２と屋根取付部材４で鼻隠し取付部材が構成される。
【００１３】
パネル取付部材２の両端には、鼻隠しパネル１の上下に形成された折曲辺部６，６をビス等の締結部材ｂ，ｂによって止着するための折曲片７，７が形成され、かつ、締結部材５を遊嵌させるための長孔８が長手方向に形成され、その一端には、締結部材５の回動中心をシフトさせるための凹部８ａが形成されている。一方、屋根取付部材４の連結端には、締結部材５を挿通させるための軸孔９が形成され、かつ、折り畳み時に折曲片７と対応する屋根取付部材４の一側縁には折曲片７に被嵌するノッチ部１０を形成している。また、他側縁には屋根板３に取り付けるための長孔状のボルト孔１１が形成されている。
【００１４】
このような構成によれば、施工時には、長孔８に対する締結部材５の締結位置を選択することによって、パネル取付部材２の高さを調整することができる。そして、パネル取付部材２と屋根取付部材４とを、締結部材５によって仮組した状態にて折り畳む時には、図１（ｄ）に示すように、締結部材５の回動中心を凹部８ａにシフトさせ、かつ、屋根取付部材４の一側縁に形成されたノッチ部１０を、パネル取付部材２の折曲片７に被嵌させることによって、屋根取付部材４とパネル取付部材２とを並行に重ね合わせてコンパクトに折り畳むことができる。従って、収納保管はもとより搬送時においても大変有利となる。
【００１５】
〔実施の形態２〕
図３（ａ）〜（ｄ）は鼻隠し取付部材を示し、この例では、折り畳み時に、屋根取付部材４の一側縁に形成された（前実施の形態のノッチ部１０よりも深さの浅い）ノッチ部１０を嵌入させるための凹み部１２を、パネル取付部材２の一端に設けた折曲片７に形成している。このような構成にすれば、ノッチ部１０を凹み部１２に嵌入させることによって、屋根取付部材４とパネル取付部材２とを並行に重ね合わせてコンパクトに折り畳むことができる。この場合、凹み部１２の深さだけノッチ部１０を浅く形成することができる。      
【００１６】
なお、本発明の鼻隠し取付部材は、実施の形態に限定されることなく、発明の要旨を逸脱しない限りにおいて、設計変更や改良等は自由であり、例えば、パネル取付部材２及び屋根取付部材４は、アングル材に限定されることなく、その他の形鋼や板材であってもよ、その素材は、金属材の他、硬質樹脂材であってもよい。
【図面の簡単な説明】
【００１７】
【図１】（ａ）は本発明の実施の形態１に係る鼻隠し取付部材の平面図、（ｂ）は正面図、（ｃ）は側面図、（ｄ）は折り畳んだ状態の鼻隠し取付部材の説明図である。
【図２】は同施工状態の説明図である。
【図３】（ａ）は本発明の実施の形態２に係る鼻隠し取付部材の平面図、（ｂ）は正面図、（ｃ）は側面図、（ｄ）は折り畳んだ状態の鼻隠し取付部材の説明図である。
【符号の説明】
【００１８】
１…鼻隠しパネル、２…パネル取付部材、３…屋根板、４…屋根取付部材、５…締結部材、６…折曲辺部、７…折曲片、８…長孔、９…軸孔、１０…ノッチ部、１２…凹み部
【図１】
2006336215.tif 000003
【図２】
2006336215.tif 000004
【図３】
2006336215.tif 000005